(57)【要約】      （修正有）【課題】画像形成装置に記憶されている印刷設定をユーザの使用状況に応じて更新する。【解決手段】画像形成装置１００は、予め印刷設定をデフォルト印刷設定として登録する印刷設定登録部１４２と、印刷ジョブの受信時において、該印刷ジョブの印刷設定とデフォルト印刷設定とが異なる場合に、印刷の継続可否を選択可能に表示させる印刷継続確認部１４３と、印刷の継続が選択された際に、該印刷ジョブの印刷設定とデフォルト印刷設定とで印刷設定項目の設定内容が異なるものを検出する選択項目検出部１４４と、選択項目検出部１４４での検出回数が所定回数以上となった設定項目がある印刷設定項目については、該所定回数以上検出された設定内容にて、デフォルト印刷設定の印刷設定項目を更新する更新部１４５と、を備える。【選択図】図３
2016055633.tif 000002
【特許請求の範囲】
【請求項１】
予め印刷設定を事前印刷設定として登録する印刷設定登録手段と、
印刷ジョブの受信時において、該印刷ジョブの印刷設定と前記事前印刷設定とが異なる場合に、印刷の継続可否を選択可能に表示させる印刷継続確認手段と、
印刷の継続が選択された際に、該印刷ジョブの前記印刷設定と前記事前印刷設定とで印刷設定項目の設定内容が異なるものを検出する検出手段と、
前記検出手段での検出回数が所定回数以上となった設定内容がある印刷設定項目については、該所定回数以上検出された設定内容にて、前記事前印刷設定の印刷設定項目を更新する更新手段と、を備えることを特徴とする画像形成装置。
【請求項２】
前記事前印刷設定は、ユーザ単位で記憶されることを特徴とする請求項１に記載の画像形成装置。
【請求項３】
前記更新手段は、前記検出手段での検出回数が所定回数以上となった設定内容がある印刷設定項目の更新とともに、
他の印刷設定項目についても、当該時点で最も検出回数の多い設定内容にて、前記事前印刷設定を更新することを特徴とする請求項１または２に記載の画像形成装置。
【請求項４】
前記更新手段は、前記検出手段での検出回数が所定回数以上となった設定内容がある印刷設定項目が所定項目数以上となった場合に、
前記検出手段での検出回数が所定回数以上となった設定内容がある印刷設定項目については、該所定回数以上検出された設定内容にて、前記事前印刷設定の印刷設定項目を更新することを特徴とする請求項１または２に記載の画像形成装置。
【請求項５】
前記更新手段は、前記検出手段での検出回数が所定回数以上となった設定内容がある印刷設定項目が所定項目数以上となった場合に、
他の印刷設定項目についても、当該時点で最も検出回数の多い設定内容にて、前記事前印刷設定を更新することを特徴とする請求項４に記載の画像形成装置。
【請求項６】
予め印刷設定を事前印刷設定として登録する印刷設定登録処理と、
印刷ジョブの受信時において、該印刷ジョブの印刷設定と前記事前印刷設定とが異なる場合に、印刷の継続可否を選択可能に表示させる印刷継続確認処理と、
印刷の継続が選択された際に、該印刷ジョブの前記印刷設定と前記事前印刷設定とで印刷設定項目の設定内容が異なるものを検出する検出処理と、
前記検出処理での検出回数が所定回数以上となった設定内容がある印刷設定項目については、該所定回数以上検出された設定内容にて、前記事前印刷設定の印刷設定項目を更新する更新処理と、を行うことを特徴とする画像形成装置の制御方法。
【発明の詳細な説明】
【技術分野】
【０００１】
本発明は、画像形成装置および画像形成装置の制御方法に関する。
【背景技術】
【０００２】
複写機、ファクシミリ、プリンタ等の画像形成装置として、電子写真方式を利用した画像形成装置が種々考案されており公知技術となっている。その画像形成プロセスは、像担持体の表面に静電潜像を形成し、像担持体上の静電潜像を現像剤であるトナー等によって現像して可視像化し、現像された画像を転写装置により記録媒体（用紙、シートともいう）に転写して画像を担持させ、圧力や熱等を用いる定着装置によって記録媒体上の未定着トナー像を定着する過程により成立している。
【０００３】
また、記録ヘッドを含む装置を用いて、記録媒体を搬送しながら、インクを記録媒体に付着させて画像形成を行なうインクジェット方式の画像形成装置等も知られている。
【０００４】
このような画像形成装置がパーソナルコンピュータ（ＰＣ）などの情報処理装置とネットワークを経由して接続されている環境において、ユーザが、印刷の際に印刷設定を誤ってしまった場合、印刷物が出力される画像形成装置のところまで行き、印刷物を手にしてはじめて印刷設定の誤りに気付くことが多い。印刷設定としては、例えば、印刷モード（カラー／モノクロ）、集約（２イン１など）、両面／片面、ステープル、パンチなどがある。
【０００５】
これに対し、事前にユーザ別に印刷設定を登録しておき、印刷要求を受けた際に、事前に登録されている印刷設定（デフォルト印刷設定（事前印刷設定）という）と異なっている場合には、ユーザに印刷設定がデフォルト印刷設定と異なっていることを通知し、印刷の実行可否を確認する画像形成装置が知られている。
【０００６】
例えば、特許文献１には、登録済みの登録印刷設定情報と、受け付けた印刷要求ジョブデータに付加された受付印刷設定情報と、を照合し、一致した場合は、印刷処理の実行を指示し、一致しない場合に、不一致である旨を報知するとともに、更新指示があった場合には、登録済みの印刷設定情報を、受付印刷設定情報に更新する印刷装置が開示されている。
【発明の概要】
【発明が解決しようとする課題】
【０００７】
特許文献１の技術では、印刷要求を受けた印刷ジョブの印刷設定がデフォルト印刷設定と異なる場合であって、設定変更する旨の指示を受けた場合、今回受け付けた印刷ジョブの印刷設定により、デフォルト印刷設定を上書きしている。
【０００８】
しかしながら、特許文献１の技術では、印刷設定を変更する場合、印刷設定の設定項目をすべて更新してしまうため、ユーザが実際に頻繁に使用する印刷設定とは異なる印刷設定の内容で更新されてしまい、ユーザの意図しない印刷設定となってしまう場合があった。
【０００９】
そこで本発明は、印刷要求を受けた印刷ジョブの印刷設定がデフォルト印刷設定と異なる場合に、ユーザに印刷の実行可否を確認する画像形成装置において、印刷設定をユーザの使用状況に応じて更新することができる画像形成装置を提供することを目的とする。
【課題を解決するための手段】
【００１０】
かかる目的を達成するため、本発明に係る画像形成装置は、予め印刷設定を事前印刷設定として登録する印刷設定登録手段と、印刷ジョブの受信時において、該印刷ジョブの印刷設定と前記事前印刷設定とが異なる場合に、印刷の継続可否を選択可能に表示させる印刷継続確認手段と、印刷の継続が選択された際に、該印刷ジョブの前記印刷設定と前記事前印刷設定とで印刷設定項目の設定内容が異なるものを検出する検出手段と、前記検出手段での検出回数が所定回数以上となった設定内容がある印刷設定項目については、該所定回数以上検出された設定内容にて、前記事前印刷設定の印刷設定項目を更新する更新手段と、を備えるものである。
【発明の効果】
【００１１】
本発明によれば、印刷設定をユーザの使用状況に応じて更新することができる。
【図面の簡単な説明】
【００１２】
【図１】画像形成システムの概略構成図である。
【図２】画像形成装置の概略構成図である。
【図３】画像形成装置の機能ブロック図である。
【図４】印刷設定処理の一例を示すフローチャートである（第１の実施形態）。
【図５】印刷設定項目テーブルの一例である。
【図６】印刷設定の更新処理の一例を示すフローチャートである。
【図７】印刷設定の更新処理の他の例を示すフローチャートである（第２の実施形態）。
【図８】印刷設定処理の他の例を示すフローチャートである（第３の実施形態）。
【図９】印刷設定の更新処理の他の例を示すフローチャートである。
【図１０】印刷設定の更新処理の他の例を示すフローチャートである（第４の実施形態）。
【図１１】印刷設定処理の他の例を示すフローチャートである（第５の実施形態）。
【図１２】印刷設定処理の他の例を示すフローチャートである（第６の実施形態）。
【図１３】差異項目算出処理の一例を示すフローチャートである。
【図１４】印刷設定処理の他の例を示すフローチャートである（第７の実施形態）。
【図１５】印刷設定処理の他の例を示すフローチャートである（第８の実施形態）。
【図１６】印刷設定処理の他の例を示すフローチャートである（第９の実施形態）。
【図１７】印刷設定処理の他の例を示すフローチャートである（第１０の実施形態）。
【図１８】印刷設定処理の他の例を示すフローチャートである（第１１の実施形態）。
【図１９】印刷設定処理の他の例を示すフローチャートである（第１２の実施形態）。
【発明を実施するための形態】
【００１３】
以下、本発明に係る構成を図１から図１９に示す実施の形態に基づいて詳細に説明する。
【００１４】
［第１の実施形態］
本実施形態に係る画像形成装置は、予め印刷設定を事前印刷設定（デフォルト印刷設定）として登録する印刷設定登録手段（印刷設定登録部１４２）と、印刷ジョブの受信時において、該印刷ジョブの印刷設定と事前印刷設定とが異なる場合に、印刷の継続可否を選択可能に表示させる印刷継続確認手段（印刷継続確認部１４３）と、印刷の継続が選択された際に、該印刷ジョブの印刷設定と事前印刷設定とで印刷設定項目の設定内容が異なるものを検出する検出手段（選択項目検出部１４４）と、検出手段での検出回数が所定回数以上となった設定内容がある印刷設定項目については、該所定回数以上検出された設定内容にて、事前印刷設定の印刷設定項目を更新する更新手段（更新部１４５）と、を備えるものである。なお、括弧内は実施形態での符号、適用例を示す。
【００１５】
（画像形成システムの構成）
図１は、本実施形態に係る画像形成装置を含んで構成される画像形成システムの概略構成図である。
【００１６】
画像形成システム４００は、印刷動作を実行する画像形成装置１００と、印刷データ及び当該印刷データを印刷するための印刷設定を含む印刷ジョブを送出する複数台の情報処理装置（ＰＣ）２００と、がネットワーク３００を介して通信可能に接続されている。ネットワーク３００は、例えば、ＬＡＮ、ＷＡＮ、インターネットである。また、画像形成装置１００と、情報処理装置２００とは、ＵＳＢケーブル３０１などの通信インタフェースを介して通信可能に接続されていてもよい。
【００１７】
また、ネットワーク３００には、画像形成装置１００および情報処理装置２００の内部時計を、ネットワーク３００を介して正しく調整するＮＴＰ（ネットワークタイムプロトコル）サーバ２０１が通信可能に接続されている。なお、サーバとしてＳＮＴＰ（シンプルネットワークタイムプロトコル）サーバを用いてもよい。
【００１８】
なお、本実施形態では、プリンタ機能を有する印刷装置である画像形成装置１００について記載するが、プリンタ機能、ファックス機能、スキャナ機能、コピー機能を持つ複合機（ＭＦＰ:Multifunction  Peripheral）であってもよい。
【００１９】
情報処理装置２００は、データを入力するための入力部、ディスプレイなどの表示部、データ通信を行うための通信部、装置全体の制御を司る制御手段としてのＣＰＵ、ＣＰＵのワークエリアとして使用されるＲＡＭと、ＣＰＵを動作させるための各種プログラム等を記憶した記録媒体等を備えている。
【００２０】
情報処理装置２００は、ネットワーク３００またはＵＳＢケーブル３０１を介して、作成した文書に対応した印刷データと、この印刷データを印刷するために設定した印刷設定（印刷モード（カラー／モノクロ）、集約（２イン１など）、両面／片面、ステープル、パンチなど）を印刷ジョブとして画像形成装置１００に送信する。
【００２１】
画像形成装置１００は、情報処理装置２００から送出される印刷ジョブに従って印刷データの印刷を行う。具体的には、画像形成装置１００は、印刷ジョブに含まれる印刷設定に従って、印刷ジョブに含まれる印刷データを記録媒体に印刷する。
【００２２】
（画像形成装置の構成）
図２は、本発明に係る画像形成装置の一実施形態を示す概略構成図を示している。
【００２３】
画像形成装置１００は、印刷ジョブを受け付ける入力手段１１０と、液晶ディスプレイ等で構成される操作パネルを備え、操作パネルに各種の操作画面を表示させるとともに、ユーザからの操作内容を受け付ける表示手段１２０と、記録媒体への印字を実行する印字手段１３０と、画像形成装置１００の全般の制御を行う制御手段１４０と、メモリ、ハードディスクドライブなどの記憶装置を備え、各種のパラメータ、プログラム等を記録する記憶手段１５０と、を備えている。
【００２４】
図３は、図２に示す画像形成装置１００の詳細な構成を示す機能ブロック図である。入力手段１１０は、ネットワーク３００やＵＳＢケーブル３０１を介して印刷ジョブを受信するデータ入力部１１１を備えている。また、表示手段１２０は、操作パネルへ所定の表示内容を表示させるパネル表示部１２１と、操作パネルでのユーザからの操作を受け付けるパネル入力部１２２と、を備えている。また、印字手段１３０は、記録媒体へ印刷データを印字する印刷エンジンである印字部１３１を備えている。
【００２５】
制御手段１４０は、ネットワーク３００を経由してデータ入力部１１１から送られてきたＮＴＰサーバ２０１からの時間情報と制御手段１４０に実装されているＲＴＣ（リアルタイムクロック）からの時間情報の管理、および時間経過を管理する時間管理部１４１を備えている。
【００２６】
また、制御手段１４０は、操作パネルから入力された内容に基づいてデフォルト印刷設定を登録する印刷設定登録部１４２を備えている。登録された印刷設定は、記憶手段１５０の情報記憶部１５１に記憶される。なお、デフォルト印刷設定は、ユーザ単位で登録されることが好ましく、また、情報処理装置２００などからも設定可能であることが好ましい。
【００２７】
また、制御手段１４０は、印刷ジョブの受信時において、記憶されたデフォルト印刷設定と該印刷ジョブの印刷設定とが異なる場合に、印刷継続の可否を操作パネルに選択可能に表示させる印刷継続確認部１４３を備えている。
【００２８】
また、制御手段１４０は、印刷ジョブの印刷設定が、デフォルト印刷設定と異なっている印刷設定項目の各設定内容（詳細設定項目）の選択回数をカウントアップする選択項目検出部１４４を備えている。例えば、印刷設定における印刷設定項目「集約」の場合、この印刷設定項目についての設定内容（詳細設定項目）は、「集約しない」、「２イン１」、「４イン１」などとなる。
【００２９】
また、制御手段１４０は、選択項目検出部１４４でカウントされた各印刷設定項目の各設定内容の選択回数が所定回数以上であるかの判断等に基づいて、印刷ジョブの印刷設定により、デフォルト印刷設定を更新する更新部１４５を備えている。
【００３０】
また、記憶手段１５０は、デフォルト印刷設定などの各種の情報を記録する情報記憶部１５１を備えている。
【００３１】
（印刷設定処理）
図４は、第１の実施形態に係る画像形成装置１００が実行する印刷設定処理の一例を示すフローチャートである。先ず、パネル入力部１２２にて所定の操作がされると、画像形成装置１００の電源がオンになる（Ｓ１０１）。
【００３２】
次いで、パネル入力部１２２への操作により、印刷設定項目のデフォルト値（デフォルト印刷設定）を設定するための操作である「デフォルト印刷設定」が選択されたかの判断を行う（Ｓ１０２）。
【００３３】
「デフォルト印刷設定」が選択された場合（Ｓ１０２：Ｙ）は、印刷設定登録部１４２は、パネル入力部１２２への操作内容に基づいて、デフォルト印刷設定を設定する（Ｓ１０３）。Ｓ１０３でデフォルト印刷設定の設定後、および「デフォルト印刷設定」が選択されない場合（Ｓ１０２：Ｎ）は、Ｓ１０４へ移行する。なお、「デフォルト印刷設定」が選択されない場合（Ｓ１０２：Ｎ）は、既存のデフォルト印刷設定が読み出される。
【００３４】
次いで、データ入力部１１１が印刷ジョブを受け付けたかどうか、すなわち、印刷動作が行われたかどうかを判断する（Ｓ１０４）。印刷動作が行われていない場合は（Ｓ１０４：Ｎ）、Ｓ１１１へ移行する。一方、印刷動作が行われた場合（Ｓ１０４：Ｙ）、受信した印刷ジョブの印刷設定が、予め設定されたデフォルト印刷設定、またはＳ１０３で設定されたデフォルト印刷設定と異なっているかどうかを判断する（Ｓ１０５）。
【００３５】
印刷設定が異なっている場合（Ｓ１０５：Ｙ）、印刷継続確認部１４３は、操作パネルに今回の印刷動作の印刷設定（印刷ジョブの印刷設定）が、デフォルト印刷設定と異なっていることを表示させて、印刷を継続するか否かを選択させる（Ｓ１０６：印刷の確認表示）。一方、印刷設定が同じ場合は（Ｓ１０５：Ｎ）、Ｓ１１１へ移行し、印字部１３１での印刷動作が実行される。
【００３６】
印刷の確認表示（Ｓ１０６）において、パネル入力部１２２への操作により、印刷ジョブの印刷設定が、デフォルト印刷設定と異なっていても印刷動作を継続することが選択された場合（Ｓ１０７：Ｙ）は、選択項目検出部１４４は、印刷ジョブの印刷設定が、デフォルト印刷設定と異なっている印刷設定項目における各設定内容（詳細設定項目）の選択回数をカウントアップする（Ｓ１０８）。
【００３７】
一方、印刷動作を継続しないことが選択された場合は（Ｓ１０７：Ｎ）、Ｓ１１１へ移行する。この場合、印刷動作は実行されない。
【００３８】
図５に、印刷設定項目テーブルの一例を示す。選択項目検出部１４４によるＳ１０８のカウントアップ動作においては、図５に示す印刷設定項目テーブルの各印刷設定項目について、デフォルト印刷設定と異なっている項目の詳細設定項目の選択回数をインクリメントする。なお、図５に示す印刷設定項目および詳細設定項目は一例であって、これに限られるものではない。
【００３９】
次いで、更新部１４５は、選択項目検出部１４４でカウントされた詳細設定項目の選択回数が所定回数以上であるかの判断を行う（Ｓ１０９）。所定回数以上となっている詳細設定項目がある場合は（Ｓ１０９：Ｙ）は、この印刷設定項目についてデフォルト印刷設定を更新する（Ｓ１１０：印刷設定の更新処理）。デフォルト印刷設定が更新された後、Ｓ１１１へ移行し、印字部１３１での印刷動作が実行される。
【００４０】
図６は、印刷設定の更新処理（Ｓ１１０）の詳細を示すフローチャートである。印刷設定の更新処理（Ｓ１１０）では、先ず、印刷設定項目の詳細設定項目の選択回数が、所定回数以上である項目を算出（検出）し（Ｓ２０１）、所定回数以上となった詳細設定項目をこの印刷設定項目のデフォルト値として更新する（Ｓ２０２）。これにより、デフォルト印刷設定が変更される。
【００４１】
図４のフローチャートの説明に戻る。一方、所定回数以上となる詳細設定項目がない場合（Ｓ１０９：Ｎ）は、デフォルト印刷設定は更新されず、Ｓ１１１へ移行し、印字部１３１での印刷動作が実行される。
【００４２】
Ｓ１１１においては、パネル入力部１２２への所定の操作が行われたかの判断を行い、電源オフの操作がされた場合は（Ｓ１１１：Ｙ）、処理は終了する。電源オフの操作がされていない場合は（Ｓ１１１：Ｎ）、Ｓ１０２へ戻る。
【００４３】
従来は、印刷設定項目の各設定内容のカウント処理と、選択回数に応じた印刷設定の更新処理（図４のＳ１０９，Ｓ１１０、図６）は行われず、印刷ジョブの印刷設定がデフォルト印刷設定が異なっている場合には、単に印刷ジョブの印刷設定をそのままデフォルト印刷設定へ反映させていた。
【００４４】
これに対し、本実施形態に係る画像形成装置では、印刷ジョブの印刷設定とデフォルト印刷設定が異なる場合に、異なる設定項目を集計し、集計結果を基に印刷設定項目を更新している。具体的には、各印刷設定項目において選択された回数が多い設定内容をデフォルト印刷設定に反映させている。なお、本実施形態では、他の印刷設定項目についての更新はされない。したがって、ユーザは特段の操作をすることなく、ユーザの使用状況に応じた印刷設定の更新が可能となっている。
【００４５】
［第２の実施形態］
以下、本発明に係る画像形成装置の他の実施形態について説明する。なお、上記実施形態と同様の点についての説明は適宜省略する。
【００４６】
第２の実施形態では、印刷設定の更新処理が第１の実施形態と異なる。すなわち、印刷設定処理は、図４と同一の処理を実行する。図７は、印刷設定の更新処理（図４のＳ１１０）の詳細を示すフローチャートである。
【００４７】
第１の実施形態では、選択回数が所定回数以上となった詳細設定項目の印刷設定項目について、デフォルト値を変更するようにしたが、第２の実施形態では、更新部１４５は、いずれかの印刷設定項目の詳細設定項目の選択回数が所定回数以上異なった場合に、その他の印刷設定項目においても、その時点で、最も選択回数の多い詳細設定項目にて、デフォルト印刷設定の各印刷設定項目を更新するものである。
【００４８】
第２の実施形態の印刷設定の更新処理では、先ず、印刷設定項目の詳細設定項目の中で最も選択回数が多いものを算出（検出）し（Ｓ３０１）、算出した詳細設定項目をこの印刷設定項目のデフォルト値として更新する（Ｓ３０２）。そして、すべての印刷設定項目に対して、デフォルト値の更新が完了したかの判断を行い（Ｓ３０３）、完了した場合は（Ｓ３０３：Ｙ）、処理を終了する。完了していない場合は（Ｓ３０３：Ｎ）、Ｓ３０１に戻る。これにより、すべての印刷設定項目のデフォルト値が更新される。
【００４９】
第２の実施形態に係る画像形成装置では、各印刷設定項目において選択された回数が多い設定内容をデフォルト印刷設定に反映させるとともに、その時点において、他の印刷設定項目についても最も選択回数の多い設定内容に更新するようにしている。したがって、ユーザは特段の操作をすることなく、ユーザの使用状況に応じた印刷設定の更新が可能となっている。
【００５０】
［第３の実施形態］
第３の実施形態では、更新部１４５は、詳細設定項目の選択回数が所定回数以上となった印刷設定項目が所定項目数以上となった場合に、この所定回数以上検出された印刷設定項目については、デフォルト印刷設定を更新し、他の印刷設定項目については従前のままとするものである。
【００５１】
図８は、第３の実施形態に係る画像形成装置１００が実行する印刷設定処理の他の例を示すフローチャートである。Ｓ４０１〜Ｓ４０９の処理は、Ｓ１０１〜Ｓ１０９と同一であるため説明を省略する。
【００５２】
第３の実施形態の印刷設定処理では、更新部１４５は、選択項目検出部１４４でカウントされた詳細設定項目の選択回数が所定回数以上であるかの判断を行って（Ｓ４０９）、所定回数以上となっている詳細設定項目がある場合は（Ｓ４０９：Ｙ）は、詳細設定項目の選択回数が所定回数以上となっている印刷設定項目が所定項目数以上あるかの判断を行う（Ｓ４１０）。
【００５３】
所定項目数以上ある場合は（Ｓ４１０）は、デフォルト印刷設定を更新する（Ｓ４１１：印刷設定の更新処理）。デフォルト印刷設定が更新された後、Ｓ４１２へ移行し、印字部１３１での印刷動作が実行される。
【００５４】
図９は、印刷設定の更新処理（Ｓ４１１）の詳細を示すフローチャートである。印刷設定の更新処理（Ｓ４１１）では、先ず、印刷設定項目の詳細設定項目の選択回数が、所定回数以上である項目を算出（検出）し（Ｓ５０１）、所定回数以上となった詳細設定項目をこの印刷設定項目のデフォルト値として更新する（Ｓ５０２）。そして、他の印刷設定項目に対して確認したかどうかを判断し（Ｓ５０３）、すべての印刷設定項目について完了した場合は（Ｓ５０３：Ｙ）、処理を終了する。完了していない場合は（Ｓ５０３：Ｎ）、Ｓ５０１に戻る。これにより、選択回数が所定回数以上となっている詳細設定項目についての印刷設定項目のデフォルト値が変更される。
【００５５】
図８のフローチャートの説明に戻る。一方、所定回数以上となる詳細設定項目がない場合（Ｓ４０９：Ｎ）および印刷設定項目が所定項目数ない場合（Ｓ４１０：Ｎ）は、デフォルト印刷設定は更新されず、Ｓ４１２へ移行し、印字部１３１での印刷動作が実行される。
【００５６】
Ｓ４１２においては、パネル入力部１２２への所定の操作が行われたかの判断を行い、電源オフの操作がされた場合は（Ｓ４１２：Ｙ）、処理を終了する。電源オフの操作がされていない場合は（Ｓ４１２：Ｎ）、Ｓ４０２へ戻る。
【００５７】
第３の実施形態に係る画像形成装置では、詳細設定項目の選択回数が所定回数以上となっている印刷設定項目が所定数以上ある場合は、これらの項目についての設定内容をデフォルト印刷設定に反映させることができる。したがって、ユーザは特段の操作をすることなく、ユーザの使用状況に応じた印刷設定の更新が可能となっている。
【００５８】
［第４の実施形態］
第４の実施形態では、印刷設定の更新処理が第３の実施形態と異なる。すなわち、印刷設定処理は、図８と同一の処理を実行する。図１０は、印刷設定の更新処理（図８のＳ４１１）の詳細を示すフローチャートである。
【００５９】
第４の実施形態の印刷設定の更新処理では、先ず、印刷設定項目の詳細設定項目の中で最も選択回数が多いものを算出（検出）し（Ｓ６０１）、算出した詳細設定項目をこの印刷設定項目のデフォルト値として更新する（Ｓ６０２）。そして、すべての印刷設定項目に対して、デフォルト値の更新が完了したかの判断を行い（Ｓ６０３）、完了した場合は（Ｓ６０３：Ｙ）、処理を終了する。完了していない場合は（Ｓ６０３：Ｎ）、Ｓ６０１に戻る。これにより、すべての印刷設定項目のデフォルト値が変更される。
【００６０】
第４の実施形態に係る画像形成装置では、詳細設定項目の選択回数が所定回数以上となっている印刷設定項目が所定数以上ある場合は、これらの項目についての設定内容をデフォルト印刷設定に反映させるとともに、その時点において、他の印刷設定項目についても最も選択回数の多い設定内容に更新するようにしている。したがって、ユーザは特段の操作をすることなく、ユーザの使用状況に応じた印刷設定の更新が可能となっている。
【００６１】
［第５の実施形態］
第１〜第４の実施形態では、印刷設定において、印刷データのファイル形式に関わらず同一の印刷設定としている。しかしながら、画像形成装置のユーザは、使用するアプリケーションソフトに応じて、異なる印刷設定で印刷出力をすることも多い。例えば、文書作成ソフトでは２イン１で集約させて印刷し、表計算ソフトや図面作成ソフトでは集約しないで印刷するなどである。
【００６２】
そこで、第５の実施形態では、デフォルト印刷設定と、印刷ジョブの印刷設定が異なる場合に、印刷データのファイル形式単位で、異なる印刷設定項目を集計し、集計結果に基づいて、印刷データのファイル形式毎に印刷設定項目を更新することで、印刷設定を印刷ファイル形式別にユーザの使用状況に応じて更新するようにしたものである。
【００６３】
図１１は、第５の実施形態に係る画像形成装置１００が実行する印刷設定処理の他の例を示すフローチャートである。Ｓ７０１〜Ｓ７０７の処理は、Ｓ１０１〜Ｓ１０７と同一であるため説明を省略する。
【００６４】
印刷の確認表示（Ｓ７０６）において、パネル入力部１２２への操作により、印刷ジョブの印刷設定が、デフォルト印刷設定と異なっていても印刷動作を継続することが選択された場合（Ｓ７０７：Ｙ）は、選択項目検出部１４４は、受信した印刷データのファイル形式を識別する（Ｓ７０８）。本実施形態では、印刷データのファイル形式は、印刷データのファイル名の拡張子に基づいて判断するものとしているが、ファイル形式の識別方法は一例であり、これに限られるものではない。
【００６５】
次いで、選択項目検出部１４４は、識別された印刷データのファイル形式毎に、印刷ジョブの印刷設定が、デフォルト印刷設定と異なっている印刷設定項目における各設定内容（詳細設定項目）の選択回数をカウントアップする（Ｓ７０９）。すなわち、図５に示した印刷設定項目テーブルをファイル形式単位でカウントアップするものである。
【００６６】
次いで、更新部１４５は、選択項目検出部１４４でカウントされた詳細設定項目の選択回数が所定回数以上であるかの判断を行う（Ｓ７１０）。所定回数以上となっている詳細設定項目がある場合は（Ｓ７１０：Ｙ）は、印刷設定項目についてデフォルト印刷設定を更新する（Ｓ７１１：印刷設定の更新処理、図６）。デフォルト印刷設定が更新された後、Ｓ７１２へ移行し、印字部１３１での印刷動作が実行される。
【００６７】
一方、所定回数以上となる詳細設定項目がない場合（Ｓ７１０：Ｎ）は、デフォルト印刷設定は更新されず、Ｓ７１２へ移行し、印字部１３１での印刷動作が実行される。
【００６８】
Ｓ７１２においては、パネル入力部１２２への所定の操作が行われたかの判断を行い、電源オフの操作がされた場合は（Ｓ７１２：Ｙ）、処理は終了する。電源オフの操作がされていない場合は（Ｓ７１２：Ｎ）、Ｓ７０２へ戻る。
【００６９】
第１〜第４の実施形態では、受信した印刷データのファイル形式の識別処理（Ｓ７０８）は行われず、ファイル形式に関わらず、常に同じ印刷設定が保持されていた。そのため、例えば、ユーザが、使用するアプリケーションソフトに応じて別の印刷設定を使用したい場合に対応することができなかった。
【００７０】
これに対し、第５の実施形態に係る画像形成装置では、受信した印刷データのファイル形式毎に印刷設定を保持し、印刷設定を印刷ファイル形式別にユーザの使用状況に応じて更新することができる。したがって、ユーザは特段の操作をすることなく、ファイル形式毎に、ユーザ好みの印刷設定を保持することができる。
【００７１】
［第６の実施形態］
第６の実施形態では、デフォルト印刷設定の更新を印刷ファイル形式ごとに保持するか否かの判断について、デフォルト印刷設定と印刷ジョブの印刷設定の印刷設定項目が所定項目以上異なっている場合に印刷ファイル形式別にデフォルト印刷設定を保持するものである。
【００７２】
図１２は、第６の実施形態に係る画像形成装置１００が実行する印刷設定処理の他の例を示すフローチャートである。図１１（第５の実施形態）と異なる点について説明する。
【００７３】
印刷の確認表示（Ｓ８０６）において、パネル入力部１２２への操作により、印刷ジョブの印刷設定が、デフォルト印刷設定と異なっていても印刷動作を継続することが選択された場合（Ｓ８０７：Ｙ）は、選択項目検出部１４４は、印刷ジョブの印刷設定が、デフォルト印刷設定と異なっている印刷設定項目（異なる詳細設定項目に設定されているもの）を算出する（Ｓ８０８）。
【００７４】
図１３は、印刷ジョブの印刷設定が、デフォルト印刷設定と異なっている印刷設定項目の算出処理（Ｓ８０８、差異項目算出処理という）の詳細を示すフローチャートである。
【００７５】
差異項目算出処理（Ｓ８０８）では、先ず、印刷ジョブの印刷設定が、デフォルト印刷設定と異なっている印刷設定項目を算出する（Ｓ９０１）。次いで、印刷設定項目すべてに対して、デフォルト印刷設定との比較が完了したかの判断を行い（Ｓ９０２）、完了した場合（Ｓ９０２：Ｙ）には処理を終了し、完了していない場合（Ｓ９０２：Ｎ）には、Ｓ９０１に戻る。
【００７６】
図１２のフローチャートの説明に戻る。差異項目算出処理（Ｓ８０８）の後、Ｓ８０８で算出された、印刷ジョブの印刷設定がデフォルト印刷設定と異なっている印刷設定項目数が、所定項目以上であるかの判断を行う（Ｓ８０９）。所定項目以上の場合（Ｓ８０９：Ｙ）、選択項目検出部１４４は、受信した印刷データのファイル形式を識別する（Ｓ８１０）。
【００７７】
Ｓ８１０の処理の後、および、所定項目未満の場合（Ｓ８０９：Ｎ）、選択項目検出部１４４は、印刷ジョブの印刷設定が、デフォルト印刷設定と異なっている印刷設定項目における各設定内容（詳細設定項目）の選択回数をカウントアップする（Ｓ８１１）。Ｓ８１０でファイル形式の識別がされている場合は、ファイル形式毎のカウントとなり、ファイル形式の識別がされていない場合は、通常のカウントとなる。
【００７８】
次いで、更新部１４５は、選択項目検出部１４４でカウントされた詳細設定項目の選択回数が所定回数以上であるかの判断を行う（Ｓ８１２）。所定回数以上となっている詳細設定項目がある場合は（Ｓ８１２：Ｙ）は、印刷設定項目についてデフォルト印刷設定を更新する（Ｓ８１３：印刷設定の更新処理、図６）。デフォルト印刷設定が更新された後、Ｓ８１４へ移行し、印字部１３１での印刷動作が実行される。
【００７９】
一方、所定回数以上となる詳細設定項目がない場合（Ｓ８１２：Ｎ）は、デフォルト印刷設定は更新されず、Ｓ８１４へ移行し、印字部１３１での印刷動作が実行される。
【００８０】
Ｓ８１４においては、パネル入力部１２２への所定の操作が行われたかの判断を行い、電源オフの操作がされた場合は（Ｓ８１４：Ｙ）、処理は終了する。電源オフの操作がされていない場合は（Ｓ８１４：Ｎ）、Ｓ８０２へ戻る。
【００８１】
以上説明したように、第６の実施形態では、受信した印刷データの印刷設定がデフォルト印刷設定と異なる項目数によって、共通に印刷設定を保持するか、ファイル形式毎に印刷設定を保持するかの判断をしている。
【００８２】
第６の実施形態では、受信した印刷データの印刷設定がデフォルト印刷設定と異なる項目が多い場合、印刷データのファイル形式毎に印刷設定を保持することができる。これにより、印刷設定が似ている場合にはファイル形式が異なっていても共通の印刷設定として保持し、大きく異なる場合にはファイル形式毎に印刷設定を保持することができる。したがって、ユーザは特段の操作をすることなく、ファイル形式毎に、ユーザ好みの印刷設定を保持することができる。
【００８３】
［第７の実施形態］
第７の実施形態では、デフォルト印刷設定の更新を印刷ファイル形式ごとに保持するか否かの判断について、デフォルト印刷設定と印刷ジョブの印刷設定で異なっている印刷設定項目をカウントし、所定回数以上異なっている場合に印刷ファイル形式別にデフォルト印刷設定を保持するものである。
【００８４】
図１４は、第７の実施形態に係る画像形成装置１００が実行する印刷設定処理の他の例を示すフローチャートである。図１１（第５の実施形態）と異なる点について説明する。
【００８５】
印刷の確認表示（Ｓ１００６）において、パネル入力部１２２への操作により、印刷ジョブの印刷設定が、デフォルト印刷設定と異なっていても印刷動作を継続することが選択された場合（Ｓ１００７：Ｙ）は、選択項目検出部１４４は、印刷ジョブの印刷設定が、デフォルト印刷設定と異なっている印刷設定項目における各設定内容（詳細設定項目）の選択回数をカウントアップする（Ｓ１００８）。
【００８６】
次いで、選択項目検出部１４４でカウントされた詳細設定項目の選択回数が所定回数以上であるかの判断を行う（Ｓ１００９）。所定回数以上となっている詳細設定項目がある場合は（Ｓ１００９：Ｙ）は、印刷ジョブの印刷設定が、デフォルト印刷設定と異なっている印刷設定項目（異なる詳細設定項目に設定されている）を算出する（Ｓ１０１０：差異項目算出処理、図１３）。
【００８７】
次いで、印刷ジョブの印刷設定が、デフォルト印刷設定と異なっている印刷設定項目が、所定項目以上であるかの判断を行う（Ｓ１０１１）。所定項目以上の場合（Ｓ１０１１：Ｙ）、選択項目検出部１４４は、受信した印刷データのファイル形式を識別する（Ｓ１０１２）。
【００８８】
Ｓ１０１２の処理の後、および、所定項目未満の場合（Ｓ１０１１：Ｎ）、更新部１４５は、印刷設定項目についてデフォルト印刷設定を更新する（Ｓ１０１３：印刷設定の更新処理、図６）。デフォルト印刷設定が更新された後、Ｓ１０１４へ移行し、印字部１３１での印刷動作が実行される。
【００８９】
一方、所定回数以上となる詳細設定項目がない場合（Ｓ１００９：Ｎ）は、デフォルト印刷設定は更新されず、Ｓ１０１４へ移行し、印字部１３１での印刷動作が実行される。
【００９０】
Ｓ１０１４においては、パネル入力部１２２への所定の操作が行われたかの判断を行い、電源オフの操作がされた場合は（Ｓ１０１４：Ｙ）、処理は終了する。電源オフの操作がされていない場合は（Ｓ１０１４：Ｎ）、Ｓ１００２へ戻る。
【００９１】
以上説明したように、第７の実施形態では、印刷ジョブの印刷設定がデフォルト印刷設定と異なる項目数によって、共通に印刷設定を保持するか、ファイル形式毎に印刷設定を保持するかの判断をしている。
【００９２】
第７の実施形態では、印刷設定項目の選択が多い項目があり、かつ受信した印刷ジョブの印刷設定がデフォルト印刷設定と異なる項目が多い場合、印刷データのファイル形式毎に印刷設定を保持することができる。これにより、印刷設定項目が頻繁に変更される項目がある場合のときのみ、印刷設定が似ている場合には共通の印刷設定として保持し、大きく異なる場合にはファイル形式毎に印刷設定を保持することができる。したがって、ユーザは特段の操作をすることなく、ファイル形式毎に、ユーザ好みの印刷設定を保持することができる。
【００９３】
［第８の実施形態］
第８の実施形態では、デフォルト印刷設定の更新を印刷ファイル形式ごとに保持するか否かの判断について、デフォルト印刷設定と印刷ジョブの印刷設定で異なっている印刷設定項目をカウントし、所定回数以上となっている項目が所定項目数以上となった場合に、印刷ファイル形式別にデフォルト印刷設定を保持するものである。
【００９４】
図１５は、第８の実施形態に係る画像形成装置１００が実行する印刷設定処理の他の例を示すフローチャートである。図１１（第５の実施形態）と異なる点について説明する。
【００９５】
印刷の確認表示（Ｓ１１０６）において、パネル入力部１２２への操作により、印刷ジョブの印刷設定が、デフォルト印刷設定と異なっていても印刷動作を継続することが選択された場合（Ｓ１１０７：Ｙ）は、選択項目検出部１４４は、印刷ジョブの印刷設定が、デフォルト印刷設定と異なっている印刷設定項目における各設定内容（詳細設定項目）の選択回数をカウントアップする（Ｓ１１０８）。
【００９６】
次いで、選択項目検出部１４４でカウントされた詳細設定項目の選択回数が所定回数以上であるかの判断を行う（Ｓ１１０９）。所定回数以上となっている詳細設定項目がある場合は（Ｓ１１０９：Ｙ）は、さらに、選択回数が所定回数以上である印刷設定項目が、所定項目数以上あるかの判断を行う（Ｓ１１１０）。
【００９７】
選択回数が所定回数以上である印刷設定項目が、所定項目数以上ある場合（Ｓ１１１０：Ｙ）、印刷ジョブの印刷設定が、デフォルト印刷設定と異なっている印刷設定項目（異なる詳細設定項目に設定されている）を算出する（Ｓ１１１１：差異項目算出処理、図１３）。
【００９８】
次いで、印刷ジョブの印刷設定が、デフォルト印刷設定と異なっている印刷設定項目が、所定項目以上であるかの判断を行う（Ｓ１１１２）。所定項目以上の場合（Ｓ１１１２：Ｙ）、選択項目検出部１４４は、受信した印刷データのファイル形式を識別する（Ｓ１１１３）。
【００９９】
Ｓ１１１３の処理の後、および、所定項目未満の場合（Ｓ１１１２：Ｎ）、更新部１４５は、印刷設定項目についてデフォルト印刷設定を更新する（Ｓ１１１４：印刷設定の更新処理、図６）。デフォルト印刷設定が更新された後、Ｓ１１１５へ移行し、印字部１３１での印刷動作が実行される。
【０１００】
一方、所定回数以上となる詳細設定項目がない場合（Ｓ１１０９：Ｎ）、選択回数が所定回数以上である印刷設定項目が、所定項目数以上ない場合（Ｓ１１１０：Ｎ）は、デフォルト印刷設定は更新されず、Ｓ１１１５へ移行し、印字部１３１での印刷動作が実行される。
【０１０１】
Ｓ１１１５においては、パネル入力部１２２への所定の操作が行われたかの判断を行い、電源オフの操作がされた場合は（Ｓ１１１５：Ｙ）、処理は終了する。電源オフの操作がされていない場合は（Ｓ１１１５：Ｎ）、Ｓ１１０２へ戻る。
【０１０２】
以上説明したように、第８の実施形態では、印刷ジョブの印刷設定がデフォルト印刷設定と異なる項目数によって、共通に印刷設定を保持するか、ファイル形式毎に印刷設定を保持するかの判断をしている。
【０１０３】
第８の実施形態では、印刷設定項目の選択が多い項目が複数あり、かつ受信した印刷ジョブの印刷設定がデフォルト印刷設定と異なる項目が多い場合、印刷データのファイル形式毎に印刷設定を保持することができる。これにより、印刷設定項目が頻繁に変更される項目がある場合のときのみ、印刷設定が似ている場合には共通の印刷設定として保持し、大きく異なる場合にはファイル形式毎に印刷設定を保持することができる。したがって、ユーザは特段の操作をすることなく、ファイル形式毎に、ユーザ好みの印刷設定を保持することができる。
【０１０４】
［第９の実施形態］
第５〜第８の実施形態では、ファイル形式毎に、ユーザ好みの印刷設定を保持する例について説明した。第５〜第８の実施形態では、ユーザの使用状況によって印刷設定が更新されていたが、印刷設定項目にユーザが優先度（優先項目）を設定し、印刷設定の更新に優先度を考慮することも好ましい。
【０１０５】
そこで、第９の実施形態では、デフォルト印刷設定と、印刷ジョブの印刷設定が異なる場合に、異なる印刷設定項目を集計し、集計結果と、ユーザにより設定された優先度に基づいて、印刷データのファイル形式毎に印刷設定項目を更新することで、印刷設定を印刷ファイル形式別にユーザの使用状況に応じて更新するようにしたものである。
【０１０６】
詳しくは、デフォルト印刷設定と印刷ジョブの印刷設定が異なっている項目に、印刷設定と共に事前に登録した印刷設定の優先項目が含まれる場合に、印刷ファイル形式別にデフォルト印刷設定を保持する。
【０１０７】
図１６は、第９の実施形態に係る画像形成装置１００が実行する印刷設定処理の他の例を示すフローチャートである。図１１（第５の実施形態）と異なる点について説明する。
【０１０８】
デフォルト印刷設定（Ｓ１２０３）において、印刷設定登録部１４２は、パネル入力部１２２への操作内容に基づいて、デフォルト印刷設定を設定する。このとき、本実施形態では、印刷設定で優先させたい項目（優先項目）についても設定する。本実施形態では、優先項目として設定するか、設定されないかの２者択一となるが、優先度１〜３のように設定してもよい。この点を除いて、Ｓ１２０１〜Ｓ１２０９の処理は、Ｓ７０１〜Ｓ７０９の処理と同様である。
【０１０９】
選択回数のカウント（Ｓ１２０９）の後、印刷動作時にデフォルト印刷設定と異なっている印刷設定項目が、Ｓ１２０３にて設定した優先させたい項目であるか否かの判断を行う（Ｓ１２１０）。なお、優先度１〜３のように設定した場合は、優先度が所定以上の値であるかを判断すればよい。
【０１１０】
優先させたい項目でない場合（Ｓ１２１０：Ｎ）、更新部１４５は、選択項目検出部１４４でカウントされた詳細設定項目の選択回数が所定回数以上であるかの判断を行う（Ｓ１２１１）。
【０１１１】
優先させたい項目である場合（Ｓ１２１０：Ｙ）、および所定回数以上となっている詳細設定項目がある場合は（Ｓ１２１１：Ｙ）は、更新部１４５は、印刷設定項目についてデフォルト印刷設定を更新する（Ｓ１２１２：印刷設定の更新処理、図６）。デフォルト印刷設定が更新された後、Ｓ１２１３へ移行し、印字部１３１での印刷動作が実行される。
【０１１２】
一方、所定回数以上となる詳細設定項目がない場合（Ｓ１２１１：Ｎ）は、デフォルト印刷設定は更新されず、Ｓ１２１３へ移行し、印字部１３１での印刷動作が実行される。
【０１１３】
Ｓ１２１３においては、パネル入力部１２２への所定の操作が行われたかの判断を行い、電源オフの操作がされた場合は（Ｓ１２１３：Ｙ）、処理は終了する。電源オフの操作がされていない場合は（Ｓ１２１３：Ｎ）、Ｓ１２０２へ戻る。
【０１１４】
第５〜第８の実施形態では、優先させたい印刷設定項目であるかの判断処理（Ｓ１２１０）は行われず、選択された回数のみにより印刷設定の保持を判断していた。そのため、印刷設定を変更する回数は多いがユーザが設定したくない場合に対応することができなかった。
【０１１５】
これに対し、第９の実施形態に係る画像形成装置では、ユーザが優先させたい印刷設定項目の場合には選択回数に関係なく共通の印刷設定として保持することができる。したがって、ユーザは特段の操作をすることなく、ファイル形式毎に、ユーザ好みの印刷設定を保持することができる。
【０１１６】
［第１０の実施形態］
第１０の実施形態では、デフォルト印刷設定の更新を印刷ファイル形式ごとに保持するか否かの判断について、デフォルト印刷設定と印刷ジョブの印刷設定が異なっている印刷設定項目をカウントし、所定回数以上異なっている場合に、印刷ファイル形式別にデフォルト印刷設定を保持し、印刷設定と共に事前に登録した印刷設定の優先項目には他の項目に比べて少ない所定回数を設定するものである。
【０１１７】
図１７は、第１０の実施形態に係る画像形成装置１００が実行する印刷設定処理の他の例を示すフローチャートである。図１６（第９の実施形態）と異なる点について説明する。
【０１１８】
印刷の確認表示（Ｓ１３０６）において、パネル入力部１２２への操作により、印刷ジョブの印刷設定が、デフォルト印刷設定と異なっていても印刷動作を継続することが選択された場合（Ｓ１３０７：Ｙ）は、選択項目検出部１４４は、印刷ジョブの印刷設定が、デフォルト印刷設定と異なっている印刷設定項目（異なる詳細設定項目に設定されている）を算出する（Ｓ１３０８、差異項目算出処理、図１３）。
【０１１９】
選択回数のカウント（Ｓ１３０９）の後、優先させたい印刷設定項目の選択回数が、優先項目用所定回数以上であるかの判断と、その他の印刷設定項目の選択回数が所定回数以上であるかの判断を行う（Ｓ１３１０）。
【０１２０】
所定回数以上である場合（Ｓ１３１０：Ｙ）は、受信した印刷データのファイル形式を識別する（Ｓ１３１１）。次いで、更新部１４５は、印刷設定項目についてデフォルト印刷設定を更新する（Ｓ１３１２：印刷設定の更新処理、図６）。デフォルト印刷設定が更新された後、Ｓ１３１３へ移行し、印字部１３１での印刷動作が実行される。
【０１２１】
一方、所定回数未満である場合（Ｓ１３１０：Ｎ）は、デフォルト印刷設定は更新されず、Ｓ１３１３へ移行し、印字部１３１での印刷動作が実行される。
【０１２２】
Ｓ１３１３においては、パネル入力部１２２への所定の操作が行われたかの判断を行い、電源オフの操作がされた場合は（Ｓ１３１３：Ｙ）、処理は終了する。電源オフの操作がされていない場合は（Ｓ１３１３：Ｎ）、Ｓ１３０２へ戻る。
【０１２３】
第５〜第８の実施形態では、優先させたい印刷設定項目の処理（Ｓ１３１０）は行われず、優先させたい印刷設定項目に関わらずに同じ所定回数によって印刷設定の保持が判断されていた。
【０１２４】
これに対し、第１０の実施形態に係る画像形成装置では、ユーザが優先させたい印刷設定項目には他の項目よりも少ない所定回数で印刷設定の保持を判断することができる。したがって、ユーザは特段の操作をすることなく、ファイル形式毎に、ユーザ好みの印刷設定を保持することができる。
【０１２５】
［第１１の実施形態］
第１１の実施形態では、デフォルト印刷設定の更新を印刷ファイル形式ごとに保持するか否かの判断について、デフォルト印刷設定と印刷ジョブの印刷設定が異なっている印刷設定項目をカウントし、所定回数以上となっている項目が所定項目数以上となった場合に、印刷ファイル形式別にデフォルト印刷設定を保持し、所定項目数は印刷設定と共に事前登録した印刷設定の優先項目が含まれる場合には他の項目数に比べて少ない回数を設定するものである。
【０１２６】
図１８は、第１１の実施形態に係る画像形成装置１００が実行する印刷設定処理の他の例を示すフローチャートである。図１７（第１０の実施形態）と異なる点について説明する。
【０１２７】
選択項目検出部１４４は、優先させたい印刷設定項目の選択回数が、優先項目用所定回数以上であるかの判断と、その他の印刷設定項目の選択回数が所定回数以上であるかの判断を行って（Ｓ１４１０）、所定回数以上である場合（Ｓ１４１０：Ｙ）は、印刷ジョブの印刷設定が、デフォルト印刷設定と異なっている印刷設定の項目数が所定項目以上であるかの判断（優先させたい印刷設定項目が含まれている場合には優先項目用所定項目以上であるかの判断）を行う（Ｓ１４１１）。
【０１２８】
所定項目以上である場合（Ｓ１４１１：Ｙ）は、受信した印刷データのファイル形式を識別する（Ｓ１４１２）。次いで、更新部１４５は、印刷設定項目についてデフォルト印刷設定を更新する（Ｓ１４１３：印刷設定の更新処理、図６）。デフォルト印刷設定が更新された後、Ｓ１４１４へ移行し、印字部１３１での印刷動作が実行される。
【０１２９】
一方、所定回数未満である場合（Ｓ１４１０：Ｎ）、および所定項目未満である場合（Ｓ１４１１：Ｎ）は、デフォルト印刷設定は更新されず、Ｓ１４１４へ移行し、印字部１３１での印刷動作が実行される。
【０１３０】
Ｓ１４１４においては、パネル入力部１２２への所定の操作が行われたかの判断を行い、電源オフの操作がされた場合は（Ｓ１４１４：Ｙ）、処理は終了する。電源オフの操作がされていない場合は（Ｓ１４１４：Ｎ）、Ｓ１４０２へ戻る。
【０１３１】
第５〜第８の実施形態では、優先させたい印刷設定項目の処理（Ｓ１４１０，Ｓ１４１１）は行われず、優先させたい印刷設定項目に関わらずに同じ所定項目数によって印刷設定の保持が判断されていた。
【０１３２】
これに対し、第１１の実施形態に係る画像形成装置では、ユーザが優先させたい印刷設定項目には他の項目よりも少ない所定項目数で印刷設定の保持を判断することができる。したがって、ユーザは特段の操作をすることなく、ファイル形式毎に、ユーザ好みの印刷設定を保持することができる。
【０１３３】
［第１２の実施形態］
第１２の実施形態では、デフォルト印刷設定の更新を印刷ファイル形式ごとに保持するか否かの判断について、デフォルト印刷設定と印刷ジョブの印刷設定が異なっている印刷設定項目をカウントし、所定回数以上となっている項目が所定項目数以上となった場合に、印刷ファイル形式別にデフォルト印刷設定を保持し、所定項目数は印刷設定と共に事前登録した印刷設定の優先項目が所定項目以上含まれる場合には他の項目数に比べて少ない回数を設定するものである。
【０１３４】
図１９は、第１２の実施形態に係る画像形成装置１００が実行する印刷設定処理の他の例を示すフローチャートである。図１８（第１１の実施形態）と異なる点について説明する。
【０１３５】
選択項目検出部１４４は、優先させたい印刷設定項目の選択回数が、優先項目用所定回数以上であるかの判断と、その他の印刷設定項目の選択回数が所定回数以上であるかの判断を行って（Ｓ１５１０）、所定回数以上である場合（Ｓ１５１０：Ｙ）は、印刷ジョブの印刷設定が、デフォルト印刷設定と異なっている印刷設定の項目中に、優先させたい印刷設定項目がいくつ含まれているかカウントする（Ｓ１５１１）。
【０１３６】
印刷ジョブの印刷設定が、デフォルト印刷設定と異なっている印刷設定の項目数が所定項目以上であるかの判断（Ｓ１５１１で算出した優先させたい印刷項目数が所定項目以上である場合には、優先項目用所定項目以上であるかの判断）を行う（Ｓ１５１２）。
【０１３７】
所定項目以上である場合（Ｓ１５１２：Ｙ）は、受信した印刷データのファイル形式を識別する（Ｓ１５１３）。次いで、更新部１４５は、印刷設定項目についてデフォルト印刷設定を更新する（Ｓ１４１４：印刷設定の更新処理、図６）。デフォルト印刷設定が更新された後、Ｓ１５１５へ移行し、印字部１３１での印刷動作が実行される。
【０１３８】
一方、所定回数未満である場合（Ｓ１５１０：Ｎ）、および所定項目未満である場合（Ｓ１５１２：Ｎ）は、デフォルト印刷設定は更新されず、Ｓ１５１５へ移行し、印字部１３１での印刷動作が実行される。
【０１３９】
Ｓ１５１５においては、パネル入力部１２２への所定の操作が行われたかの判断を行い、電源オフの操作がされた場合は（Ｓ１５１５：Ｙ）、処理は終了する。電源オフの操作がされていない場合は（Ｓ１５１５：Ｎ）、Ｓ１５０２へ戻る。
【０１４０】
第５〜第８の実施形態では、優先させたい印刷設定項目の処理（Ｓ１５１０〜Ｓ１５１２）は行われず、優先させたい印刷設定項目に関わらずに同じ所定項目数によって印刷設定の保持が判断されていた。
【０１４１】
これに対し、第１２の実施形態に係る画像形成装置では、ユーザが優先させたい印刷設定項目には他の項目よりも少ない所定項目数で印刷設定の保持を判断することができる。したがって、ユーザは特段の操作をすることなく、ファイル形式毎に、ユーザ好みの印刷設定を保持することができる。
【０１４２】
尚、上述の実施形態は本発明の好適な実施の例ではあるがこれに限定されるものではなく、本発明の要旨を逸脱しない範囲において種々変形実施可能である。
【符号の説明】
【０１４３】
１００  画像形成装置
１１０  入力手段
１１１  データ入力部
１２０  表示手段
１２１  パネル表示部
１２２  パネル入力部
１３０  印字手段
１３１  印字部
１４０  制御手段
１４１  時間管理部
１４２  印刷設定登録部
１４３  印刷継続確認部
１４４  選択項目検出部
１４５  更新部
１５０  記憶手段
１５１  情報記憶部
２００  情報処理装置
２０１  ＮＴＰサーバ
３００  ネットワーク
３０１  ＵＳＢケーブル
４００  画像形成システム
【先行技術文献】
【特許文献】
【０１４４】
【特許文献１】特開２０１０−６９７９０号公報
【図１】
2016055633.tif 000003
【図２】
2016055633.tif 000004
【図３】
2016055633.tif 000005
【図４】
2016055633.tif 000006
【図５】
2016055633.tif 000007
【図６】
2016055633.tif 000008
【図７】
2016055633.tif 000009
【図８】
2016055633.tif 000010
【図９】
2016055633.tif 000011
【図１０】
2016055633.tif 000012
【図１１】
2016055633.tif 000013
【図１２】
2016055633.tif 000014
【図１３】
2016055633.tif 000015
【図１４】
2016055633.tif 000016
【図１５】
2016055633.tif 000017
【図１６】
2016055633.tif 000018
【図１７】
2016055633.tif 000019
【図１８】
2016055633.tif 000020
【図１９】
2016055633.tif 000021